(57)【要約】【課題】二次成形部分でクリップのスタビライザを形成した場合に、この二次成形部分のバリの発生を可及的に少なくすることである。【解決手段】少なくとも係合部３、この係合部３の座部４およびこの座部４の取付用の支柱５を有する一次成形部分２と前記座部４の前記係合部３側端部に連設されたスタビライザ７ａを有する二次成形部分７とからなり、前記一次成形部分２を二次成形部分７用の金型に組み込み、前記二次成形部分７を前記一次成形部分２と一体に成形した二色成形クリップ１において、前記二次成形部分７と一次成形部分２とを一体に成形するに際し、前記二次成形部分７のスタビライザ７ａの前記座部４側端部に前記二次成形部分７となる被い部７ｂが連設され、前記被い部７ｂは前記座部４を包み込みかつ前記被い部７ｂの先端部７ｃは前記座部４の取付用の支柱５の表面に一体に成形されていること。【選択図】        図１
2005076648.tif 000002
【特許請求の範囲】
【請求項１】
少なくとも係合部、この係合部の座部およびこの座部の取付用の支柱を有する一次成形部分と前記座部の前記係合部側端部に連設されたスタビライザを有する二次成形部分とからなり、前記一次成形部分を二次成形部分用の金型に組み込み、前記二次成形部分を前記一次成形部分と一体に成形した二色成形クリップにおいて、
前記二次成形部分と一次成形部分とを一体に成形するに際し、前記二次成形部分のスタビライザの前記座部側端部に前記二次成形部分となる被い部が連設され、前記被い部は前記座部を包み込みかつ前記被い部の先端部は前記座部の取付用の支柱の表面に一体に成形されていることを特徴とする二色成形クリップ。
【発明の詳細な説明】
【０００１】
【発明の属する技術分野】
本発明は、例えば、自動車のボディに対するオーバーフェンダの取付けや自動車のドアに対するドアトリムの取付けに供されるクリップに係り、詳しくは、異なる二種の合成樹脂材料から形成される二色成形クリップに関するものである。
【０００２】
【従来の技術】
一般に、この種のクリップにおいては図２の半断面図に示すように、クリップ１０は一次成形部分１１とこの一次成形部分１１とは異なる合成樹脂材料により成形される二次形成部分１７とからなり、一次成形部分１１は係合部１２とその座部１３を主体として例えば、ポリオキシメチレン（ＰＯＭ）から形成されており、係合部１２には先端のブロック部分１２ａ、このブロック部分１２ａに連設された複数の可撓性ある係合片１２ｂ、複数の係合片１２ｂの基部分に連設された係止斜面１２ｃおよび係止斜面１２ｃと座部１３との間に連設された保持部分１２ｄが形成され、座部１３には支柱１４および支柱１４の先端に連設されたフランジ状の係止部１５が形成されている。そして、支柱１４をオーバーフェンダ等の取付部材に形成された台座等の凹部等に嵌入したときに係止部１５が前記台座等に係止することにより、クリップ１０が前記取付部材の台座等に取り付けられる。
一方、二次成形部分１７は座部１３の係合部１２側端部に一体に成形された可撓性あるスタビライザであり、例えば熱可塑性エストラマ（ＴＰＥ）から成形されているもので、図示しない被取付部材の孔に係合部１２を差し込んだときに、係合部１２がその係合片１２ｂを撓ませて係合部１２の径を縮小しつつ前記孔を通過すると係合片１２ｂがその弾性により元の形に戻るので、前記被取付部材は保持部分１２ｄ、係止斜面１２ｃおよび係合片１２ｂで保持される（例えば、特許文献１参照。）。
【０００３】
【特許文献１】
特開２００２−１５５９１５号公報
【０００４】
【発明が解決しようとする課題】
上記従来例では、二次成形部分１７を成形する場合には、上記一次成形部分１１を二次成形用の金型に組み込んで、二次成形部分１７を成形するが、図２における金型１８はこの二次成形用の金型の一部分を模式的に示したものであり、その成形面１８ａは二次成形部分１７を成形する。この二次成形部分１７の成形の際に、一次成形部分１１の座部１３の熱膨張係数と金型１８の熱膨張係数の相違等により座部１３と金型１８の先端部１８ｂとの間に隙間が生じ易い。特に、この場合、二次成形部分１７の座部１３側端部１７ａと座部１３の張り出し部分との間隔により規制される金型１８の先端部１８ｂの広さが十分なものではない。このため、座部１３と金型１８の先端部１８ｂとの隙間に流動状態の二次成形材料が流れ込みさらにこの隙間を通過して固化してバリとなる場合がある。
そこで、本発明が解決しようとする課題は、二次成形部分でクリップのスタビライザを形成した場合に、この二次成形部分のバリの発生を可及的に少なくすることである。
【０００５】
【課題を解決するための手段】
上記課題を解決するため、請求項１記載の発明は、少なくとも係合部、この係合部の座部およびこの座部の取付用の支柱を有する一次成形部分と前記座部の前記係合部側端部に連設されたスタビライザを有する二次成形部分とからなり、前記一次成形部分を二次成形部分用の金型に組み込み、前記二次成形部分を前記一次成形部分と一体に成形した二色成形クリップにおいて、前記二次成形部分と一次成形部分とを一体に成形するに際し、前記二次成形部分のスタビライザの前記座部側端部に前記二次成形部分となる被い部が連設され、前記被い部は前記座部を包み込みかつ前記被い部の先端部は前記座部の取付用の支柱の表面に一体に成形されていることを特徴とする二色成形クリップである。
【０００６】
これにより、以下の作用がある。すなわち、取付用の支柱の表面は、座部とスタビライザとの間隔よりも著しく広く形成されているので、取付用の支柱の表面に当接する二次成形部分用の金型の先端部は上記従来例の場合の二次成形部分用の金型の先端部より著しく広くなる。このため、クリップの一次成形部分を先に成形し、この一次成形部分を組み込んだ二次成形部分用の金型を使用して二次成形部分を一次成形部分に一体に成形する場合において、金型の先端部と取付用の支柱との間の隙間に流動状態の二次成形材料が入り込んでも、この二次成形材料の粘性により、この二次成形材料が二次成形部分用の金型の反対側まで漏れ出て固化してバリとなる場合はほとんどない。この結果、二次成形材料によるバリの発生を上述の従来例の場合より著しく少なくすることができる。
【０００７】
【発明の実施の形態】
以下、本発明における実施の形態を図面に基づいて説明する。図１は、本発明の実施の形態に係る二色成形クリップを半断面図で示している。
図１に示すように、二色成形されるクリップ１の一次成形部分２を先に成形し、この一次成形部分２を組み込んだ二次成形部分用の金型を使用して二次成形部分７を一次成形部分２に一体に成形する。なお、一次成形部分２および二次成形部分７の材料は上記従来例の場合と同じである。
【０００８】
一次成形部分２はクリップ１の係合部３、この係合部３のフランジ状の座部４、この座部４の取付用の筒状の支柱５（中心孔５ａを有している。）および支柱５の先端部（図示下端部）に付設されたフランジ状の係止部６を備えている。
なお、係合部３、支柱５および係止部６は、従来例の係合部１２、支柱１４および係止部１５（図２参照）と同様のものである。
ここで、係合部３はその先端のブロック部分３ａ、ブロック部分３ａの図示下端部に連結された複数の可撓性ある係合片３ｂ、係合片３ｂの図示下端部に連設された係止斜面３ｃおよび係止斜面３ｃと座部４との間に連設された保持部分３ｄを有している。
【０００９】
二次成形部分７は、可撓性ある皿状のスタビライザ７ａおよびこのスタビライザ７ａの座部４側端部に連設された被い部７ｂであり、スタビライザ７ａは座部４の係合部３側端部に一体に成形され、被い部７ｂは座部４を包み込み、かつ、被い部７ｂの先端部７ｃは座部４の取付用の支柱５の表面に一体に成形されている。
【００１０】
クリップ１の係合部３をその先端のブロック部分３ａから図示しない被取付部材の孔（係合部３の複数の可撓性ある係合片３ｂ部分の径より小さな径を有する。）に挿入すると、クリップ１は係合片３ｂの弾性力により前記被取付部材の孔の縁を係合部３とスタビライザ７ａとの間に保持する。なお、その際、スタビライザ７ａは前記被取付部材の孔の縁に押されて弾性変形する。
【００１１】
以上の構成のクリップ１は以下の作用・効果を奏する。
ここで、金型８は、二次成形部分７のバリを説明するために、前記二次成形部分用の金型の一部分を模式的に長方形で示したものであり、その成形面８ａは二次成形部分７の被い部７ｂの先端部７ｃを成形する。
取付用の支柱５の表面は、座部４とスタビライザ７ａとの間隔よりも著しく広く形成されているので、取付用の支柱５の表面に当接する二次成形部分用の金型８の先端部８ｂは上記従来例の場合の金型１８の先端部１８ｂより著しく広くなる。このため、クリップ１の一次成形部分２を先に成形し、この一次成形部分２を組み込んだ金型（金型８を含む）を使用して二次成形部分７を一次成形部分２に一体に成形する場合において、金型８の先端部８ｂと取付用の支柱５との間の隙間に流動状態の二次成形材料が入り込んでも、この二次成形材料の粘性により、この二次成形材料が金型８の反対側まで漏れ出て固化してバリとなる場合はほとんどない。
このため、二次成形材料によるバリの発生を上述の従来例の場合より著しく少なくすることができる。この結果、被い部７ｂの先端部７ｃにおけるバリの発生が従来例より著しく少なくなるため、二次成形部分７のバリの発生が著しく少なくなる。
【００１２】
さらに、二次成形部分７の被い部７ｂが座部４を包み込むことにより、被い部７ｂと座部４との位置関係のずれおよび被い部７ｂが座部４から剥がれることを防ぐことができる。
【００１３】
なお、被い部７ｂは皮膜状に図示されているが、これに限らず座部４を包み込むものであればよい。
また、一次成形材料および二次成形材料は従来例のものと同じになっているが、これに限定されず、一次成形材料および二次成形材料として種々の材料を用いることができる。
【００１４】
【発明の効果】
請求項１記載の発明によれば、二色成形クリップの二次成形材料によるバリを従来例よりも著しく少なくすることができる。
【図面の簡単な説明】
【図１】本発明の実施の形態に係るクリップを示す半断面図である。
【図２】従来例のクリップを示す半断面図である。
【符号の説明】
１  クリップ
２  一次成形部分
３  係合部
４  座部
５  支柱
７  二次成形部分
７ａ  スタビライザ
７ｂ  被い部
７ｃ  先端部
８  金型
【図１】
2005076648.tif 000003
【図２】
2005076648.tif 000004